【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
同期ネットワークにおいて周期的フレームを伝送する伝送方法であって、各フレームは、複数のチャネルを備え、前記チャネルは、少なくとも１つの時間トリガチャネルを備え、前記ネットワークは、複数のノードを備え、前記方法は、
−開始フレームおよび終了フレームを備える、反復サイクルの関連付けられたスロットに、前記複数のノードのそれぞれを関連付ける集中管理スケジュールを定義するステップと、
−前記反復サイクルにおいて通信するステップであって、
−前記複数のノードのそれぞれは、少なくとも専用スロットを有し、
−サイクルは、ｎの後続スロットを備え、各スロットは、複数のフレームを備え、
−スロット内の各フレームは、同期を提供するための番号を割り当てられる、ステップと、
−前記開始フレームを備える前記関連付けられたスロットの間のみ、前記少なくとも１つの時間トリガチャネル上で、前記複数のノードのそれぞれによって伝送するステップと
を含む、伝送方法。
【請求項２】
マスタノードは、前記スケジュールを定義し、前記マスタノードは、前記複数のノードのうちの１つである、請求項１に記載の伝送方法。
【請求項３】
前記スケジュールは、帯域外通信において前記複数のノードに分配される、請求項１または請求項２に記載の伝送方法。
【請求項４】
前記スケジュールは、構成可能である、請求項１に記載の伝送方法。
【請求項５】
各ノードは、前記反復サイクル内の複数のスロットと関連付けられてもよい、請求項１に記載の伝送方法。
【請求項６】
前記スロットのうちの１つ以上は、異なるサイズのものである、請求項１に記載の伝送方法。
【請求項７】
サイクル長は、構成可能である、請求項１に記載の伝送方法。
【請求項８】
スロットは、少なくとも１つの未使用フレームを備える、請求項１に記載の伝送方法。
【請求項９】
周期的フレームを伝送するための同期ネットワークであって、各フレームは、複数のチャネルを備え、前記チャネルは、少なくとも１つの時間トリガチャネルを備え、
−前記同期ネットワークは、相互に通信可能に結合された複数のノードを備え、
−マスタノードは、開始フレームおよび終了フレームを備える、反復サイクルの関連付けられたスロットに、前記複数のノードのそれぞれを関連付ける集中管理スケジュールを定義するように動作可能であり、
−前記複数のノードのそれぞれは、前記反復サイクル内で通信するように動作可能であり、
−前記複数のノードのそれぞれは、少なくとも専用スロットを有し、
−前記サイクルは、ｎの後続スロットを備え、各スロットは、複数のフレームを備え、
−スロット内の各フレームは、同期を提供するための番号を割り当てられ、
−前記複数のノードのそれぞれは、前記開始フレームを備える前記関連付けられたスロットの間のみ、前記少なくとも１つの時間トリガチャネル上で伝送するように動作可能である、同期ネットワーク。
【請求項１０】
前記マスタノードはさらに、前記スケジュールを帯域外通信において前記複数のノードに分配するように動作可能である、請求項９に記載の同期ネットワーク。
【請求項１１】
前記スケジュールは、構成可能である、請求項９に記載の同期ネットワーク。
【請求項１２】
前記複数のノードのそれぞれは、前記反復サイクル内の複数のスロットと関連付けられてもよく、および／または、１つ以上のスロットは、異なるサイズのものである、請求項９に記載の同期ネットワーク。
【請求項１３】
サイクル長は、構成可能である、請求項９に記載の同期ネットワーク。
【請求項１４】
スロットは、少なくとも１つの未使用フレームを備える、請求項９に記載の同期ネットワーク。
【請求項１５】
周期的フレームを伝送するための同期ネットワークであって、各フレームは、複数のチャネルを備え、前記チャネルは、少なくとも１つの時間トリガチャネルを備え、前記同期ネットワークは、相互に通信可能に結合された複数のノードを備え、
−関与ノードは、集中管理スケジュールをマスタノードから受信するように動作可能であり、前記集中管理スケジュールは、開始フレームおよび終了フレームを備える、反復サイクルの関連付けられたスロットに、前記複数のノードのそれぞれを関連付け、
−前記複数のノードのそれぞれは、前記反復サイクル内で通信するように動作可能であり、
−前記複数のノードのそれぞれは、少なくとも専用スロットを有し、
−サイクルは、ｎの後続スロットを備え、
−各スロットは、複数のフレームを備え、
−スロット内の各フレームは、同期を提供するための番号を割り当てられ、
−前記関与ノードは、前記開始フレームを備える前記関連付けられたスロットの間のみ、前記少なくとも１つの時間トリガチャネル上で伝送するように動作可能である、同期ネットワーク。
【手続補正２】
【補正対象書類名】明細書
【補正対象項目名】００１２
【補正方法】変更
【補正の内容】
【００１２】
種々の実施形態では、本システムおよび方法はまた、周期的フレームを伝送するための同期ネットワークを含んでもよく、各フレームは、複数のチャネルを備える。同期ネットワークは、相互に通信可能に結合される、複数のノードと、集中管理スケジュールをマスタノードから受信するように動作可能な関与ノードであって、集中管理スケジュールは、複数のノードのそれぞれを、開始フレームおよび終了フレームを備える関連付けられたスロットに関連付ける、関与ノードとを含んでもよい。ネットワークは、複数のノードのそれぞれが、反復サイクル内で通信するように動作可能であり、複数のノードのそれぞれが、専用スロットを有し、サイクルが、ｎの後続スロットを備え、各スロットが、複数のフレームを備え、関与ノードが、該開始フレームを備える関連付けられたスロットの間のみ、伝送するように動作可能であり得るように構成されてもよい。
本願明細書は、例えば、以下の項目も提供する。
（項目１）
同期ネットワークにおいて周期的フレームを伝送する伝送方法であって、各フレームは、複数のチャネルを備え、前記ネットワークは、複数のノードを備え、前記方法は、
反復サイクルにおいて通信するステップであって、前記複数のノードのそれぞれは、専用スロットを有し、サイクルは、ｎの後続スロットを備え、各スロットは、複数のフレームを備える、ステップと、
各ノードを、開始フレームおよび終了フレームを備える関連付けられたスロットに関連付ける、集中管理スケジュールを定義するステップと、
前記開始フレームを備える前記関連付けられたスロットの間のみ、各ノードによって伝送するステップと
を含む、伝送方法。
（項目２）
マスタノードは、前記スケジュールを定義し、前記マスタノードは、前記複数のノードのうちの１つである、項目１に記載の伝送方法。
（項目３）
前記スケジュールは、帯域外通信において前記複数のノードに分配される、項目１または項目２に記載の伝送方法。
（項目４）
前記スケジュールは、静的である、前記項目のうちの１項に記載の伝送方法。
（項目５）
前記スケジュールは、構成可能である、項目１−３のうちの１項に記載の伝送方法。
（項目６）
各ノードは、前記反復サイクル内の複数のスロットと関連付けられてもよい、前記項目のうちの１項に記載の伝送方法。
（項目７）
前記スロットのうちの１つ以上は、異なるサイズのものである、前記項目のうちの１項に記載の伝送方法。
（項目８）
サイクル長は、構成可能である、前記項目のうちの１項に記載の伝送方法。
（項目９）
スロットは、少なくとも１つの未使用フレームを備える、前記項目のうちの１項に記載の伝送方法。
（項目１０）
前記未使用フレームは、前記スロットの終了フレームの後に続く、項目９に記載の伝送方法。
（項目１１）
周期的フレームを伝送するための同期ネットワークであって、各フレームは、複数のチャネルを備え、前記同期ネットワークは、
相互に通信可能に結合された複数のノードであって、
前記複数のノードのそれぞれは、反復サイクル内で通信するように動作可能であり、
前記複数のノードのそれぞれは、専用スロットを有し、
サイクルは、ｎの後続スロットを備え、
各スロットは、複数のフレームを備える、複数のノードと、
前記複数のノードのそれぞれを、開始フレームおよび終了フレームを備える関連付けられたスロットに関連付ける、集中管理スケジュールを定義するように動作可能なマスタノードと
を備え、
前記複数のノードのそれぞれは、前記開始フレームを備える前記関連付けられたスロットの間のみ、伝送するように動作可能である、同期ネットワーク。
（項目１２）
前記マスタノードはさらに、前記スケジュールを帯域外通信において前記複数のノードに分配するように動作可能である、項目１１に記載の同期ネットワーク。
（項目１３）
前記スケジュールは、静的である、項目１１または項目１２に記載の同期ネットワーク。
（項目１４）
前記スケジュールは、構成可能である、項目１１または項目１２に記載の同期ネットワーク。
（項目１５）
前記複数のノードのそれぞれは、前記反復サイクル内の複数のスロットと関連付けられてもよい、項目１１−１４のうちの１項に記載の同期ネットワーク。
（項目１６）
前記スロットのうちの１つ以上は、異なるサイズのものである、項目１１−１５のうちの１項に記載の同期ネットワーク。
（項目１７）
サイクル長は、構成可能である、項目１１−１６のうちの１項に記載の同期ネットワーク。
（項目１８）
スロットは、少なくとも１つの未使用フレームを備える、項目１１−１７のうちの１項に記載の同期ネットワーク。
（項目１９）
前記未使用フレームは、前記スロットの終了フレームの後に続く、項目１８に記載の同期ネットワーク。
（項目２０）
周期的フレームを伝送するための同期ネットワークであって、各フレームは、複数のチャネルを備え、前記同期ネットワークは、
相互に通信可能に結合された複数のノードであって、
前記複数のノードのそれぞれは、反復サイクル内で通信するように動作可能であり、
前記複数のノードのそれぞれは、専用スロットを有し、
サイクルは、ｎの後続スロットを備え、
各スロットは、複数のフレームを備える、複数のノードと、
集中管理スケジュールをマスタノードから受信するように動作可能な関与ノードであって、前記集中管理スケジュールは、前記複数のノードのそれぞれを、開始フレームおよび終了フレームを備える関連付けられたスロットに関連付ける、関与ノードと
を備え、
前記関与ノードは、前記開始フレームを備える前記関連付けられたスロットの間のみ、伝送するように動作可能である、同期ネットワーク。